(57)【要約】【課題】軽量化を図ると共に仮に電線用コネクタのスプリングが破損したり外れたりしても落下するのを防止した電線用コネクタ取付器具を提供する。【解決手段】取付器具１は、コネクタ本体１０１、１０２の上方を相対的に近接する方向に付勢する弧状の弾性部材１０５がコネクタ本体１０１、１０２の下方に取り付けられた電線用コネクタ１００に用いられるもので、コネクタ本体１０１、１０２が装着される孔部２１及び弾性部材１０５が装着されるスリット溝部２２が形成された取付器具本体２と、孔部２１内に収容されて弾性部材１０５への係止とその解除を行うための係止機構３と、係止機構３を操作するための操作部４と、取付器具本体２に装着されて電線用コネクタ１００の弾性部材１０５が破損等したときに架空配電線２００の上側に引き掛かって落下を防止するための落下防止機構５とを備えたものとする。【選択図】図２
2015042105.tif 000002
【特許請求の範囲】
【請求項１】
架空配電線及び分岐線を挟持するための一対のコネクタ本体と、前記コネクタ本体で前記架空線及び分岐線を挟持するための機構として前記コネクタ本体の端側部位を相対的に近接する方向に付勢する弧状の弾性部材とを有する電線用コネクタに用いられる取付器具であって、
前記一対のコネクタ本体が取り付けられる有底の孔部を有すると共に、前記孔部の開口端から前記孔部の軸方向に延びて前記弾性部材が装着される切欠き溝部が形成された取付器具本体を備え、
前記孔部内の有底側に、前記切欠き溝部に装着された弾性部材への係止とその解除を行う係止部と前記係止部に同期して動く台座とで成る係止機構が収容され、
前記台座は、前記取付器具本体から孔部とは反対側に突出した操作部と連結されて、前記操作部を間接活線工具で把持して回転させることにより前記係止部が操作されることを特徴とする電線用コネクタ取付器具。
【請求項２】
前記取付器具本体に外装される環状部と、前記架空配電線の上面に引掛け可能な当接面を有する配電線引掛部と、前記環状部と前記配電線引掛部とを連接する連接部とで成る落下防止機構を備え、
前記配電線引掛部の当接面と前記取付器具本体の孔部を有する面との間隔は、前記電線用コネクタのコネクタ本体及び弾性部材の全長より大きいことを特徴とする請求項１に記載の電線用コネクタ取付器具。
【発明の詳細な説明】
【技術分野】
【０００１】
この発明は、架線配電線の露出した芯線及び架空配電線から分岐した引下線等の分岐線の露出した芯線をそれぞれ挟持するための電線用コネクタを架空配電線に取り付けたり、架空配電線から取り外したりするために用いる器具の構造に関する。
【背景技術】
【０００２】
架線状態の高圧線等の架空配電線から引下線等の分岐線を分岐させる場合には、例えば特許文献１の図１や図７に示されるタイプの第１の電線用コネクタや、例えば特許文献１の図４や図５に示されるタイプの第２の電線用コネクタが用いられる。
【０００３】
このうち、第１の電線用コネクタは、互いに対向する内面が近接離間するように連結される一対の挟持体（固定側把持体、可動側把持体）と、各挟持体の対向する内面が近接した状態で、架空配電線及び分岐線の各露した芯線を平行支持できるように、各挟持体の内面の先端部及び基端部にそれぞれ分かれて形成される一対の第１凹溝（架線用）及び第２凹溝（引下線用）と、架空配電線及び分岐線の各芯線と各挟持体の第１凹溝及び第２凹溝とが電気的に接続されるように、各挟持体の近接状態を保持するための接続保持手段とを備えている。そして、第１の電線用コネクタは、固定側把持体の下部から板状の把持部が突出したものとなっている。
【０００４】
これにより、把持部を絶縁ヤットコで把持して第１の電線線コネクタを押し上げることにより、可動側把持体の先端側が固定側把持体から離れる方向に揺動して、双方の把持体が上方に開口し、架空配電線を固定側把持体の第１凹溝と可動側把持体の第１凹溝とで把持することが可能である。
【０００５】
これに対し、第２の電線用コネクタは、架空配電線の芯線を把持するための第１凹溝と分岐線の芯線を把持するための第２凹溝とを内面に連続するかたちで有する一対の挟持体と、架空配電線及び分岐線の各芯線と各挟持体の第１凹溝及び第２凹溝とが電気的に接続されるように、各挟持体の近接状態を保持するための接続保持手段とを備えている。そして、この第２の電線用コネクタでは、接続保持手段は、双方の挟持体の下部に両端が連結されて、双方の挟持体を近接する方向に常時付勢するＣ字状のスプリングで主に構成されており、第１の引下線電線用コネクタのように、絶縁ヤットコで把持する把持部を有しないものとなっている。
【０００６】
これに伴い、第２の電線用コネクタは、絶縁ヤットコを用いずに、例えば特許文献２に示される引下線コネクタ取付工具を用いて、架空配電線への取り付けと取り外しとが行われるようになっている。
【０００７】
特許文献２に示す引下線コネクタ取付工具について概説すると、ホットスティックの先端に設けられたＬ字状の基部と、基部の横方向に延びた一端から立設した固定板と、基部の縦方向に延びる他端の先端に横倒しの状態で設けられ、内部がねじ切りされた筒部と、筒部に挿通されたねじ棒と、ねじ棒の固定板側端にボールジョイントを介して取り付けられた可動板とを有して構成され、可動板は、引下用コネクタ全体を収容可能な孔部と、この孔部の下部に位置して接続保持手段たるスプリングを収容可能な切り込みとが形成されたものとなっている。
【０００８】
このような構成の引下線コネクタ取付工具では、引下用コネクタへの取り付けは、ねじ棒を緩めて、固定板から可動板を離した後、引下用コネクタのボルトの頭部が固定片側となるようにして引下用コネクタを固定板と可動板との間に差し込み、この状態で、可動片が固定片側に移動するようにねじ棒を回動させると、可動板の下部が基部に設けられているストッパに当接してそれ以上の移動は阻止され、可動板の上端部側が、引下用コネクタを固定板側に押圧して、その引下用コネクタを引下線コネクタ取付工具で保持した状態とすることで行われる。
【先行技術文献】
【特許文献】
【０００９】
【特許文献１】特開２０１２−１９５０７５号公報
【特許文献２】特開平１０−１４０３８号公報
【発明の概要】
【発明が解決しようとする課題】
【００１０】
しかしながら、特許文献２に示される引下線コネクタ取付工具等のようにホットスティックの先端に設けられた電線用コネクタの取り付け・取り外し用器具であると、引下線コネクタ取付工具が引下用コネクタを保持した状態のまま、引下用コネクタを高圧線等の架空配電線に取り付けることになるため、引下用コネクタのスプリングに引下用コネクタの重量と引下線コネクタ取付工具の重量との双方の重量が掛かるので、引下用コネクタのスプリングが破損し或いは引下用コネクタから外れて、引下線コネクタ取付工具が落下するおそれがある。
【００１１】
このため、特許文献２に示される引下線コネクタ取付工具では、引下線コネクタ取付工具で架空配電線を把持した状態の引下用コネクタに取り付けた後は、引下線コネクタ取付工具が設けられたホットスティックから手を離して、他の間接活線作業をすることができないという不具合を有する。
【００１２】
そこで、本発明は、軽量化を図ると共に仮に電線用コネクタのスプリングが破損したり外れたりしても落下するのを防止した電線用コネクタ取付器具を提供することを目的とする。
【課題を解決するための手段】
【００１３】
この発明に係る電線用コネクタ取付器具は、架空配電線及び分岐線を挟持するための一対のコネクタ本体と、前記コネクタ本体で前記架空線及び分岐線を挟持するための機構として前記コネクタ本体の端側部位を相対的に近接する方向に付勢する弧状の弾性部材とを有する電線用コネクタに用いられる取付器具であって、前記一対のコネクタ本体が取り付けられる有底の孔部を有すると共に、前記孔部の開口端から前記孔部の軸方向に延びて前記弾性部材が装着される切欠き溝部が形成された取付器具本体を備え、前記孔部内の有底側に、前記切欠き溝部に装着された弾性部材への係止とその解除を行う係止部と前記係止部に同期して動く台座とで成る係止機構が収容され、前記台座は、前記取付器具本体から孔部とは反対側に突出した操作部と連結されて、前記操作部を間接活線工具で把持して回転させることにより前記係止部が操作されることを特徴としている（請求項１）。架空配電線は例えば架空高圧電線であり、分岐線は例えば引下線であって、以下の架空配電線、分岐線も同様である。そして、分岐線が引下線である場合には、電線用コネクタの種類は引下用コネクタであり、以下の電線用コネクタも同様である。弧状の弾性部材は、例えばＣ字状のスプリングである。間接活線工具は、例えば絶縁ヤットコである。
【００１４】
これにより、電線用コネクタ取付器具は、絶縁ヤットコで把持する把持部を固定側把持体の下部に有する電線用コネクタと同様に、コネクタ本体の下方に突出した操作部を絶縁ヤットコ等の間接活線工具で把持して操作することが可能となるので、ホットスティックの先端に一体に設けたり、ジョイントを介して取り付けたりする必要がなくなる。これに伴い、電線用コネクタ取付器具はホットスティックを有しないので、ホットスティックの重量分が削減されて、電線用コネクタ取付器具が取り付けられた電線用コネクタの軽量化を図ることが可能となる。よって、電線用コネクタ取付器具に取り付けられた電線用コネクタが架空配電線を挟持した状態において、電線用コネクタの弧状の弾性部材が荷重により破損したりコネクタ本体から外れたりすることが抑止されるので、作業員は、電線用コネクタ取付器具の操作部から絶縁ヤットコ等の間接活線工具を外して他の作業をすることが可能となる。
【００１５】
請求項２に記載の電線用コネクタ取付器具は、更に、前記取付器具本体に外装される環状部と、前記架空配電線の上面に引掛可能な当接面を有する配電線引掛部と、前記環状部と前記配電線引掛部とを連接する連接部とで成る落下防止機構を備え、前記配電線引掛部の当接面と前記取付器具本体の孔部を有する面との間隔は、前記電線用コネクタのコネクタ本体及び弾性部材の全長より大きいことを特徴としている（請求項２）。
【００１６】
これにより、電線用コネクタの弧状の弾性部材が荷重により破損したりコネクタ本体から外れたりしても、落下防止機構の配電線引掛部の当接面が架空配電線に当接して引き掛かるため、電線用コネクタ取付器具の落下防止を確実に図ることができるので、電線用コネクタ取付器具の操作部から絶縁ヤットコ等の間接活線工具を外して、準備作業、間接活線作業を含めた他の作業をすることを、より安心して行うことが可能となる。
【発明の効果】
【００１７】
以上のように、本発明によれば、電線用コネクタ取付器具について、絶縁ヤットコで把持する把持部を固定側把持体の下部に有する電線用コネクタと同様に、コネクタ本体の下方に突出した操作部を絶縁ヤットコ等の間接活線工具で把持することが可能となるので、ホットスティックの先端に一体に設けたり、ジョイントを介して取り付けたりする必要がなくなる。これにより、電線用コネクタ取付器具は、ホットスティックを有しないため、ホットスティックの重量分が削減されるので、電線用コネクタ取付器具が取り付けられた電線用コネクタの総重量の軽減を図ることが可能となる。よって、電線用コネクタ取付器具に取り付けられた電線用コネクタが架空配電線を挟持した状態において、電線用コネクタの弧状の弾性部材が荷重により破損したりコネクタ本体から外れたりすることが抑止されるため、作業員が電線用コネクタ取付器具の操作部から絶縁ヤットコ等の間接活線工具を外して他の作業をすることが可能となるので、間接活線作業の効率化・短時間化を図ることができる。
【００１８】
特に請求項２に記載の発明によれば、電線用コネクタの弧状の弾性部材が荷重により破損したりコネクタ本体から外れたりする場合があっても、落下防止機構の配電線引掛部の当接面が架空配電線に当接して引き掛かるため、電線用コネクタ取付器具の落下防止を確実に図ることができるので、電線用コネクタ取付器具の操作部から絶縁ヤットコ等の間接活線工具を外して、準備作業、間接活線作業を含めた他の作業をすることを、より安心して行うことが可能となる。よって、作業時に不安がなくなるので、間接活線作業の効率化・短時間化を更に図ることができる。
【図面の簡単な説明】
【００１９】
【図１】図１は、この発明に係る電線用コネクタ取付器具の全体構成を示す説明図であり、図１（ａ）は前記電線用コネクタ取付器具の側面図、図１（ｂ）は前記電線用コネクタ取付器具の正面図、図１（ｃ）は前記電線用コネクタ取付器具の上面図である。
【図２】図２は、前記電線用コネクタ取付器具の全体構成を示す斜視図である。
【図３】図３は、前記電線用コネクタ取付器具のうちのコネクタ取付器具本体の構成を示す説明図であり、図３（ａ）は前記コネクタ取付器具本体の正面図、図３（ｂ）は前記コネクタ取付器具本体の環状溝部の拡大図である。
【図４】図４は、前記電線用コネクタ取付器具の落下防止機構の構成を示す説明図であり、図４（ａ）は前記落下防止機構の側面図、図４（ｂ）は前記落下防止機構の正面図、図４（ｃ）は前記落下防止機構の上面図である。
【図５】図５は、前記電線用コネクタ取付器具を電線用コネクタの弾性部材に取り付ける工程を示した説明図であり、図５（ａ）は電線用コネクタの弾性部材に前記電線用コネクタ取付器具が取り付けられる前の状態を示した側面図、図５（ｂ）は電線用コネクタの弾性部材に前記電線用コネクタ取付器具が取り付けられた後の状態を示した側面図である。
【図６】図６は、電線用コネクタの弾性部材に前記電線用コネクタ取付器具が取り付けられた状態を示す上面図である。
【図７】図７は、電線用コネクタの弾性部材に取り付けるための電線用コネクタ取付器具の係止機構の構成を示した説明図であり、図７（ａ）は前記コネクタ取付器具本体に設けられた係止機構の構成を示す断面図、図７（ｂ）は係止機構の係止部が電線用コネクタの弾性部材に引き掛かる前の状態を示す断面図、図７（ｃ）は係止機構の係止部が電線用コネクタの弾性部材に引き掛かった後の状態を示す断面図である。
【発明を実施するための形態】
【００２０】
以下、この発明の実施形態について添付図面に基づいて説明する。
【００２１】
この発明に係る電線用コネクタ取付器具（以下、取付器具と略す。）１は、例えば、図５に示されるように、架空配電線２００及び分岐線３００の双方を挟持することで架空配電線２００に吊り下げられた状態の電線用コネクタ１００に取り付けたり、分岐線３００のみを挟持して架空配電線２００に未だ吊り下げられる前の状態の電線用コネクタ１００に取り付けたりするものである。
【００２２】
まず、架空配電線２００と分岐線３００とについて概説する。架空配電線２００は、例えば電線の本線を成す高圧線であり、図５、図６に示されるように、通電性を有する芯線２０１と、芯線２０１の周囲を覆う絶縁素材から成る被覆２０２とで構成されている。分岐線３００は、例えば高圧引下線であり、架空配電線２００と同様に，図５に示す通電性を有する芯線３０１と、図示しないが芯線３０１の周囲を覆う絶縁素材から成る被覆とで構成されている。
【００２３】
電線用コネクタ１００は、分岐線３００が引下線の場合には引下用コネクタ等とも称されるもので、架空配電線２００から引下線等の分岐線３００を分岐接続させる場合に用いられる。
【００２４】
電線用コネクタ１００自体は公知のものであるが、図５に基づいてその構成を概説すると、コネクタ本体１０１とコネクタ本体１０２とで基本的に構成されている。コネクタ本体１０１は、架空配電線２００の芯線２０１を把持するための凹溝部１０１ａと分岐線３００の芯線３０１を把持するための凹溝部１０１ｂとを内面に連続するかたちで有している。コネクタ本体１０２は、架空配電線２００の芯線２０１を把持するための凹溝部１０２ａと分岐線３００の芯線３０１を把持するための凹溝部１０２ｂとを内面に連続するかたちで有している。そして、コネクタ本体１０１とコネクタ本体１０２とは、ボルト１０３とナット１０４とで連結されて一体化されているが、凹溝部１０１ａと凹溝部１０２ａ、凹溝部１０１ｂと凹溝部１０２ｂとが遠近することができるように揺動可能に連接されている。
【００２５】
そして、コネクタ本体１０１、１０２のうち凹溝部１０１ａ、１０１ｂ、１０２ａ、１０２ｂを有する側に対し反対側となる下端部には、凹溝部１０１ａと凹溝部１０２ａ、凹溝部１０１ｂと凹溝部１０２ｂとを近接する方向にコネクタ本体１０１、１０２を付勢するために、弧状の線状体の弾性部材１０５の各端部が取り付けられている。弾性部材１０５は例えばＣ字状に湾曲したスプリングである。
【００２６】
このような電線用コネクタ１００の構成とすることにより、弾性部材１０５の付勢力に抗する力を与えて、コネクタ本体１０１、１０２のうち凹溝部１０１ａ、１０１ｂ、１０２ａ、１０２ｂを有する側を開いて、凹溝部１０１ａと凹溝部１０２ａとの間に架空配電線２００を配置し、或いは、凹溝部１０１ｂと凹溝部１０２ｂとの間に分岐線３００を配置した後、弾性部材１０５の付勢力に抗する力を解除することにより、弾性部材１０５の付勢力により、凹溝部１０１ａと凹溝部１０２ａとで架空配電線２００を挟持し、或いは、凹溝部１０１ｂと凹溝部１０２ｂとで分岐線３００を挟持することができる。
【００２７】
取付器具１は、図１から図７に示されるように、取付器具本体２と、係止機構３と、操作部４と、落下防止機構５とを有して構成されている。
【００２８】
取付器具本体２は、略円柱状のもので、有底の孔部２１を有している。孔部２１は、電線用コネクタ１００側に円状に開口したもので、この実施例では、図７（ａ）に示されるように、内径寸法が相対的に大きな開口端側空間部２１ａと、開口端側空間部２１ａよりも内径寸法が小さな中央側空間部２１ｂと、下記する係止機構３が収容されるもので、中央側空間部２１ｂよりも内径寸法が大きな係止機構収容部２１ｃとが取付器具本体２の軸方向に沿って連接したものとなっている。そして、取付器具本体２の係止機構収容部２１ｃ側の底面には、図７（ａ）に示されるように、操作部４が外部に突出するための通孔２１ｄが形成されている。
【００２９】
そして、取付器具本体２は、電線用コネクタ１００の弾性部材１０５が装着可能なように、孔部２１の開口端から、この孔部２１の軸方向に沿って延びるスリット溝部２２が２つ、対向するかたちで形成されている。スリット溝部２２の底面には、例えば弾性部材１０５の中心を通り水平に延びる基準線を採った場合にかかる基準線よりも下側の部位の外周面が当接するもので、スリット溝部２２の底面は、弾性部材１０５の外周面に幅広く当接するように、弾性部材１０５の外周面に沿った円弧形状としても良い。
【００３０】
また、取付器具本体２は、孔部２１の開口端から、スリット溝部２２とは９２度の角度でずれた位置に、２つの切欠き溝部２３が対向するかたちで形成されている。切欠き溝部２３の端間の直線状に採った寸法Ｌ１（図１（ａ）に示す。）は、図５（ｂ）に示されるように、電線用コネクタ１００のコネクタ本体１０１及びコネクタ本体１０２の双方を総和した短手方向寸法より若干大きくなっている。
【００３１】
更に、取付器具本体２の外周面には、特に図３に示されるように、円環状に延びる環状溝部２４が形成されている、環状溝部２４は、落下防止機構５の環状部５１が装着されるもので、この実施例では、図３（ｂ）に示されるように、落下防止機構５の環状部５１が簡単には外れないようにするために、落下防止機構５の環状部５１と噛み合うことが可能な三角形状の歯が環状溝部２４の上縁と下縁とに複数並べて形成されている。
【００３２】
尚、取付器具本体２の外周面の環状溝部２４よりも下側に、係止機構３による電線用コネクタ１００の弾性部材１０５に対する係止方向を、目視で確認することができるように、矢印の図形２５を、シールで貼り付けたり、直接に描いたりして設けても良い。
【００３３】
係止機構３は、図７に示されるように、孔部２１の係止機構収容部２１ｃの底面の上に載置された円板状の台座３１と、この台座３１の上面から係止機構収容部２１ｃ内に突出した柱部３２と、柱部３２からこの柱部３２の径方向に延びる係止部３３とで構成されている。
【００３４】
係止部３３は、図７（ｂ）及び図７（ｃ）に示されるように、孔部２１の軸方向の上側から見て、三日月状をなしていると共に、図７（ａ）に示されるように、孔部２１の径方向（横側）から見て、柱部３２から離れるに従い暫時細くなっている。また、係止部３３は、柱部３２の上端側の部位に連結されている。そして、柱部３２及び係止部３３は、図７（ｂ）に示されるように、電線用コネクタ１００の弾性部材１０５がスリット溝部２２に装着された時には、弾性部材１０５と当たらないようにするために、係止機構収容部２１ｃのうち弾性部材１０５を境界として片側の略半円の空間部内に収まることが可能な大きさになっている。
【００３５】
操作部４は、図７（ａ）に示されるように、台座３１の下面から通孔２１ｄを経て取付器具本体２の外部（下側）に突出した突出部４１と、この突出部４１の突出方向の先端に設けられた把持部４２とで構成されている。把持部４２は、図示しない絶縁ヤットコの把持部の把持部で把持することができる厚みと幅を有している。そして、突出部４１は、台座３１及び把持部４２の双方と一体形成されており、把持部４２を回転させると、突出部４１を介して、台座３１、ひいては係止機構３全体も基本的に把持部４２の回転に同期して双方向に回転させることが可能である。但し、電線用コネクタ１００の弾性部材１０５がスリット溝部２２に装着された後は、例えば図７（ｂ）に示される状態から図７（ｃ）に示されるように、把持部４２を反時計回りに回転させることができるが、例えば図７（ｂ）に示される状態から時計回りに回転させようとしても、柱部３２が弾性部材１０５に当たるので、把持部４２を時計回りに回転させることはできなくなる。
【００３６】
落下防止機構５は、特に図４に示されるように、円環状の環状部５１と、架空配電線２００の上面に引掛け可能な当接面を有する配電線引掛部５２と、環状部５１と配電線引掛部５２とを連接する連接部５３とで構成された線状体であり、取付器具本体２に対し着脱可能となっている。これにより、落下防止機構５が劣化・破損した場合には、落下防止機構５のみを交換することができる。
【００３７】
環状部５１は、取付器具本体２の環状溝部２４に外装されるもので、環状部５１の内径寸法は、取付器具本体２の環状溝部２４以外の部位よりも小さく、取付器具本体２の環状溝部２４の最も内側の部位の内径寸法より若干大きくなっている。尚、取付器具本体２の環状溝部２４の、取付器具本体２の径方向における深度は、環状部５１の例えば１／３から１／２が環状溝部２４内に埋没する寸法となっている。
【００３８】
配電線引掛部５２は、図４（ｃ）に示されるように、架空配電線２００が架設される基準線Ｂ１を採った場合に、この実施例では基準線Ｂ１と９０度の角度で交差するように延びており、その先端は図４（ａ）に示されるように、下方に延びて鉤爪部５２ａを形成している。配線引掛部５２の取付器具本体２からの寸法は、図６に示されるように、取付器具本体２と落下防止機構５とを上方から見た場合に、配電線引掛部５２が架空配電線２００の被覆２０２と交差するように設定されている。
【００３９】
そして、環状部５１の上面から配電線引掛部５２の下面までの寸法Ｌ１（図５（ｂ）に示す）は、図５（ａ）に示すように、架空配電線２００を挟持してこの架空配電線２００から垂下した状態の電線用コネクタ１００に対し、弾性部材１０５よりも下方に、取付器具１を配置しても、電線用コネクタ１００に当たらない寸法値となっている。
【００４０】
連接部５３は、取付器具１の架空配電線２００への取り付けの妨げにならなければその形状を問わないものであるが、この実施例では、図４（ｃ）に示されるように、環状部５１のうち基準線Ｂ１に対し架空配電線２００の径方向に若干すれた部位を基端として、基準線Ｂ１から離れる方向に斜めに直線状に（但し、図４（ｂ）に示されるように同じ高さを維持しつつ）延び、次に、基準線Ｂ１と平行となるように直線状に（但し、図４（ａ）に示されるように同じ高さを維持しつつ）延びた後、図４（ｂ）に示されるように、上方に向かって直線状に延びたものとなっている。
【００４１】
このような構成の取付器具１を、架空配電線２００を挟持してこの架空配電線２００から吊り下げられた状態の電線用コネクタ１００に取り付ける工程について、図１、図５及び図７を用いて説明する。
【００４２】
まず、係止機構３の係止部３３は、図１（ｃ）及び図７（ｂ）に示されるように、係止機構収容部２１ｃのスリット溝部２２、２２間を結ぶ直線と交差しない位置に動かして置く。そして、操作部４の把持部４２を絶縁ヤットコの把持部で把持して、取付器具１を電線用コネクタ１００まで持ち上げる。このとき、落下防止機構５の鉤爪部５２ａの下端が架空配電線２００よりも高くなるまで取付器具１を持ち上げた後、取付器具１を水平移動させて、電線用コネクタ１００が鉤爪部５２ａと連接部５３のうち立設した部位との間に位置したときに、取付器具１を若干下げることで、取付器具１は、図５（ａ）に示される位置になる。
【００４３】
次に、取付器具１のスリット溝部２２と電線用コネクタ１００の弾性部材１０５との位置を合せた後、取付器具１を再度持ち上げる。これにより、図５（ｂ）に示されるように、取付器具１のスリット溝部２２に電線用コネクタ１００の弾性部材１０５が装着される。
【００４４】
更に、操作部４の把持部４２を絶縁ヤットコの把持部で反時計回りに回転させることにより、係止機構３の台座３１ひいては係止部３３も反時計回りに回転するため、係止部３３の柱部３２とは反対側の部位が図７（ｃ）に示されるように電線用コネクタ１００の弾性部材１０５内に差し込まれるので、電線用コネクタ１００の弾性部材１０５は取付器具１に係止される。このとき、操作部４の把持部４２を絶縁ヤットコの把持部で時計回りに回転させようとしても係止機構３の柱部３２が電線用コネクタ１００の弾性部材１０５に当たって回転させることができないので、作業員はすぐに回転方向の誤りに気付くことが可能である。
【００４５】
そして、電線用コネクタ１００への取付器具１の取り付けが完了した後は、操作部４の把持部４２から絶縁ヤットコの把持部を外すことができるため、電線用コネクタ１００の弾性部材１０５に掛かる荷重は、取付器具１の重さのみとすることが可能となるので、電線用コネクタ１００の弾性部材１０５が破損したり抜けたりするおそれが非常に小さくなり、作業員は安心して次の工程の準備のための作業を行うことができる。尚、取付器具１の取付器具本体２には、係止機構３による係止方向が矢印の図形で示されているので、作業員が、係止機構３による電線用コネクタ１００の弾性部材１０５への係止を解除する方向に、操作部４の把持部４２を誤って回してしまうという人為的な誤操作も防止することができる。
【００４６】
しかも、取付器具１は、落下防止機構５を更に有しているので、電線用コネクタ１００の弾性部材１０５が破損したり抜けたりする不具合が仮にあったとしても、その場合には、取付器具１は、落下しても、落下防止機構５の配電線引掛部５２が架空配電線２００の特に被覆２０２の上面にすぐに引き掛かり、且つ鉤爪部５２ａにより架空配電線２００から外れないので、取付器具１が地面等まで落下するのを防止することができる。よって、作業員は、より一層安心して次の工程の準備のための作業を行うことができる。
【符号の説明】
【００４７】
１  電線用コネクタ取付器具
２  取付器具本体
２１  孔部
２２  スリット溝部
２３  切欠き溝部
２４  環状溝部
２５  矢印の図形
３  係止機構
３１  台座
３２  柱部
３３  係止部
４  操作部
５  落下防止機構
５１  環状部
５２  配電線引掛部
５３  連接部
１００  電線用コネクタ
１０１  コネクタ本体
１０１ａ  凹溝部
１０１ｂ  凹溝部
１０２  コネクタ本体
１０２ａ  凹溝部
１０２ｂ  凹溝部
１０５  弾性部材
２００  架空配電線
２０１  芯線
２０２  被覆
３００  分岐線
３０１  芯線
【図１】
2015042105.tif 000003
【図２】
2015042105.tif 000004
【図３】
2015042105.tif 000005
【図４】
2015042105.tif 000006
【図５】
2015042105.tif 000007
【図６】
2015042105.tif 000008
【図７】
2015042105.tif 000009